(57)【特許請求の範囲】
【請求項１】
等間隔で配された通し柱、管柱等の主柱を躯体とする建築、構築物の既存外壁を新規外壁で改修した構造において、改修する既存外壁上から既存の躯体を構成する土台と妻梁もしくは胴差しを斜めに連結するように、２本一対で用いる長尺状鋼板からなる１組目の補強材を、主柱が土台、妻梁もしくは胴差しと交差する箇所を固定点として少なくとも１本の主柱を跨ぎ、かつ跨いだ主柱の中点上で交差するように配し、次に、１組目の補強材の交差箇所を有する主柱の上下端、すなわち主柱が土台、妻梁もしくは胴差しと交差する箇所を固定点とし、１組目の補強材の固定点を上下に有する主柱の中点にて交差するように２組目の補強材を配して躯体に固定すると共に、該補強材を覆うように乾式壁材からなる新規外壁を既存外壁上に形成したことを特徴とする外壁改修構造。
【発明の詳細な説明】
【０００１】
【産業上の利用分野】
本発明は建築、構築物の既存外壁面を新規外壁で改修するための構造に関するものであり、さらに詳しくは、古くなった既存の躯体、既存外壁面の強度を向上する補強材を配設して、建物の強度を向上させた後に乾式壁材からなる新規外壁を表面に形成した改修の構造に関するものである。
【０００２】
【従来の技術】
従来、この種の外壁改修としては、古くなった既存の外壁をすべて撤去して、既存の躯体や胴縁等の壁下地材に新規外壁を形成する構造や、既存の外壁材上に直に、もしくは、新規胴縁や防水シートを介して新規外壁を取り付ける構造が一般的であった。
【０００３】
【発明が解決しようとする課題】
しかしながら、このような改修では古くなった既存の外壁と新規外壁を交換することや、傷んだ既存の外壁上に新規外壁を形成して、既存外壁を隠蔽することの技術思想のみであり、古くなった建物の既存の躯体、あるいは既存外壁を補強し、強度を向上させる技術思想は全く考慮に入れられていなかった。このため、改修後の建物の躯体には負担がかかり、強度的に弱く、特に耐震性に極端に劣り、地震等の発生で新規外壁が脱落したり、躯体の破損、建物の崩壊等の被害が発生することもあった。
【０００４】
【課題を解決するための手段】
本発明はこのような欠点を除去するため、既存の外壁面を新規外壁で改修する前に、既存外壁上から既存の躯体を構成する土台と妻梁もしくは胴差しを斜めに連結するように、２本一対で用いる長尺状鋼板からなる１組目の補強材を、主柱が土台、妻梁、もしくは胴差しと交差する箇所を固定点として主柱の中点上で交差するように配し、次に１組目の補強材の交差箇所を有する主柱の上下端、すなわち主柱が土台、妻梁、もしくは胴差しと交差する箇所を固定点とし、１組目の補強材の固定点を上下に有する主柱の中点にて交差するように２組目の補強材を配して躯体に固定すると共に、該補強材を覆うように乾式壁材からなる新規外壁を既存外壁上に形成する外壁改修構造を提案するものである。
【０００５】
【実施例】
以下に図面を用いて本発明に係る外壁改修構造の一実施例について詳細に説明する。図１（ａ）、（ｂ）は上記外壁改修構造の一例を示す説明図であり、Ａは既存建物の躯体、１は既存外壁、２は補強材、３は新規外壁、７は役物、Ｆは基礎、αは釘、スクリュービス、テクス、アンカー、アンカーボルト等の固定具である。
【０００６】
躯体Ａは図１（ｂ）に示すように、垂直方向に伸びる主柱Ｂ、間柱Ｃ、および水平方向に伸びる土台Ｄ、妻梁Ｅもしくは胴差しＧ、基礎Ｆとから構成される一般的なものである。勿論、これらは木造構造の建物での名称であり、鉄骨造構造ではこれらの位置に、Ｈ型鋼材、角形鋼材、Ｃ型鋼材等が配設されているものである。なお、図１（ｂ）では便宜上既存外壁１を点線で示し省略してあるものである。
【０００７】
また、既存外壁１は躯体Ａの外側面に例えば木摺、防水シート、ラスシート、モルタル壁材の順に配設、施工されたモルタル壁からなるもの、もしくは、躯体Ａ上に胴縁を設け、防水シート、金属系サイディング材、窯業系サイディング材、ＡＬＣパネル、タイル、塩ビ押出サイディング材、等の乾式壁材等からなるものである。
【０００８】
補強材２は、図２に示すよう幅狭の長尺薄板状の鋼材、カラー鋼板、アルミ鋼板、等の各種金属薄板やこれらの複合体、もしくは繊維強化樹脂等の金属帯状物もしくは線状物等から形成される。
【０００９】
補強材２の配設は、図１（ｂ）に示すように行うものである。すなわち、補強材２の長手方向の片端を、主柱Ｂが土台Ｄと接続する箇所に固定具αによって固定し、他端を主柱Ｂが妻梁Ｅもしくは胴差しＧと接続する箇所に固定具αによって固定し、少なくとも１本の主柱Ｂを跨ぐものである。補強材２は２本一対で、たすき状にクロスさせて用いるものであり、一対の補強材２の各々は、その交点を主柱Ｂ上に有するものであり、古くなった躯体Ａおよび既存外壁１面の強度を向上する筋交いの機能を有するものである
【００１０】
新規外壁３は金属系サイディング材、もしくは、窯業系サイディング材、塩ビ押出サイディング材、ＡＬＣパネル、タイル、金属系パネル、等からなる乾式外壁材からなるものであり、特に図３に示すような、金属薄板からなる表面材４と金属薄板もしくはシート状物からなる裏面材５とで、合成樹脂発泡体からなる芯材６をサンドイッチした金属系サイディング材が軽量で強度にも優れ、既存外壁１の強度向上にも有効で、なおかつ施工容易な点からも好ましいものである。
【００１１】
また、新規外壁３は図１（ａ）に示すように補強材２上から直接、固定具αを介して躯体Ａに順次取り付けられ、建物の外表面を多い、意匠性、断熱性、防音性、防火性等をさらに向上させるものである。勿論、新規外壁２を形成する際には、水切り、スタータ、止縁、ジョイナ、出隅、入隅、等の役物７を必要に応じて配設するものである。
【００１２】
ここで、本発明に係る外壁改修構造の施工方法について簡単に説明する。まず、図４（ａ）に示すようにモルタル壁等からなる既存外壁１上に１組目の補強材２ａを配設し、両端を固定具αによって躯体Ａに打設、固定する。
【００１３】
次に、図４（ｂ）に示すように、１組目の補強材２ａ上から、１組目の補強材２ａが交差する主体Ｂの上下端近傍を固定点として、２組目の補強材２ｂを配し、固定具αで躯体Ａに打設、固定する。
【００１４】
そして、図３に示すような金属系サイディング材からなる新規外壁３を補強材２ａ、２ｂ上から、主柱Ｂ、間柱Ｃ等の躯体Ａに釘等の固定具αを用いて、順次取り付け、図１（ａ）に示されるように仕上げるものである。なお、補強材２は対として扱わなくとも、最終的に図１のような配置になっていれば良いものである。また、一対の補強材２は、その交点にて主柱Ｂの中点に固定具αを用いて打設することができる。
【００１５】
以上説明したのは、本発明に係る外壁改修構造の一実施例であり、図５〜図１１に示すような改修構造としたり、改修ための部材を用いることもできる。
【００１６】
図５〜図７は補強材２の変形例である。すなわち、図５（ａ）〜（ｄ）は幅方向の両端に長手方向に連続した舌片８を設け、弛み、捻れを防止して強度の向上を図る共に、形状変化を少なくし施工を容易にした補強材２の例である。
【００１７】
また、図６（ａ）は長手方向に連続して、凹凸からなるリブ９を設け、また長手方向の両端には鋼板を重合させた固定部１０を有し、強度、施工性の向上と固定の強固化を図った補強材２、図６（ｂ）は表面全体にエンボス加工を施して強度の向上を図った補強材２、図６（ｃ）は既存外壁１に接触する側の面にホットメルト系接着剤、合成ゴム系接着剤、天然ゴム系接着剤等の弾性接着剤からなる弾性体１１を設け、仮止めと凹凸吸収の機能を持たせた補強材２、図６（ｄ）は長手方向に連続したリブ９を設けると共に、片側面に弾性体１１からなる層を設けた補強材２である。
【００１８】
さらに、図７（ａ）、（ｂ）は既存外壁１に接する側の面にある程度の厚みと弾性を有し両面に接着面を有する粘着テープ１２を有し、仮止めと凹凸吸収の機能を持たせた補強材２、図７（ｃ）、（ｄ）は弾性体１１、粘着テープ１２を片側面に備え、仮止めと凹凸の吸収、捻れ防止を図った補強材２である。
【００１９】
図８（ａ）〜（ｆ）は新規外壁３に用いられる乾式壁材のその他の例を示すものであり、図８（ａ）〜（ｃ）は金属系サイディング材、図８（ｄ）は塩ビサイディング材、図８（ｅ）、（ｆ）は窯業系サイディング材の断面形状を示すものである。
【００２０】
図９（ａ）は補強材２と新規外壁３との間に防水シート１３を介在し防水性能の向上を図った例である。また、図９（ｂ）は補強材２と新規外壁３との間に新規外壁３の取付下地となる胴縁１４を適宜ピッチで配設し、さらに、胴縁１４自体の厚みを利用して、エアサイクル路を確保した例である。
【００２１】
また、図１０（ａ）は補強材２の上に胴縁１４を適宜ピッチで配設すると共に、各胴縁１４間に断熱層１５を形成し、さらに、胴縁１４を取付下地として、かつ、土台Ｄ部分から軒点部分にかけてエアサイクルをおこなうエアサイクル通路を確保し、胴縁１４上に新規外壁３を形成した例である。
【００２２】
すなわち、断熱層１５は構造全体の断熱性能、気密性能の向上、および温度差により結露が発生するのを防止するものである。また、断熱層１５は補強材２自体の厚み、もしくは補強材２同士の重なりにより、既存外壁１の面と段差が生じてしまうので、この段差を断熱層１５を配設することにより解消し、表面を平らにするので、新規外壁３の施工を容易にし、張り上がり面をフラットなものにするものである。
【００２３】
断熱層１５の形成は例えばポリウレタン、ポリイソシアヌレート、フェノール、塩化ビニル、ポリエチレン、ポリスチレン等の合成樹脂発泡体や、石膏ボード、ロックウールボード、ガラス繊維、シージングボード等の無機材ボード等のボード状パネルを順次張り合わせて形成することもできるが、特に現場吹き付け発泡型の合成樹脂を用いるのが好ましいものである。
【００２４】
すなわち、断熱層１５を現場吹き付け発泡型の合成樹脂とした際には、その素材としては硬質のウレタンフォーム、もしくは難燃２級、３級（ＪＩＳ−Ａ−１３２１）合格品のフェノール＋イソシアネート＋難撚材を用いることもできる。勿論、ノンフロンの合成樹脂を用いると共に、フェノールにより難燃化を図ったものである。また、断熱層１５を現場吹き付け発泡型の合成樹脂とすることで、補強材２の厚みによる段差の解消を容易に行うことができ、しかも、狭い場所や、端部にも吹き付け発泡できるので、より一層の気密化と断熱化を図ることができ、さらに、施工が容易で、コストの節減になるものである。
【００２５】
図１０（ｂ）は補強材２の先端部の固定に、短尺状の鋼板等からなるプレート１６を固定具αを介して打設し、補強材２の固定をより強力なものとした後に、新規外壁３を形成した例である。
【００２６】
図１１（ａ）、（ｂ）は補強材２の配設のその他の例を示すものであり、また、既存外壁１を点線で示すものである。すなわち、図１１（ａ）は土台Ｄ、および妻梁Ｅもしくは胴差しＧ等に、既存外壁１上から長尺状の金属薄板からなる水平補強材１７を打設した例、図１２（ｂ）は土台Ｄと妻梁Ｅもしくは胴差しＧ、および各主柱Ｂの中点を連結するように水平補強材１７を配し、かつ各主柱Ｂ上に金属鋼板からなる垂直補強材１８を打設した例である。水平補強材１７および垂直補強材１８はその打設された範囲内の特定箇所にかかる力を広範囲に分散するため、腐食、破損等により局部的に強度が低下した躯体Ａの震動に対する耐久性を向上させるのに有効なものである。
【００２７】
【発明の効果】
以上説明したように本発明に係る外壁改修構造によれば、▲１▼既存の外壁面を新規外壁で改修する前に、改修する既存外壁上から既存の躯体を構成する土台と軒桁もしくは妻梁を連結するように、長尺状補強材を斜め配設し躯体に固定すると共に、補強材を覆うように新規外壁を既存外壁上に形成したので、既存躯体の強度を向上させ、躯体の強度向上と、外壁の改修を同時に行える。▲２▼建物は水平荷重、垂直荷重の両方に強くなり、地震等の振動や台風等の外圧に強い構造となる。▲３▼既存外壁を解体する必要がないので、施工工数を省略できると共に、工期を大幅に短縮することができ、しかも施工中の居住に何等支障を来さない。▲４▼既存外壁上に新規外壁を形成するので、施工が簡単でコストを節約できる。▲５▼既存外壁と新規外壁の２重壁構造となり、断熱性、防音性、防火性に富む構造となる。▲６▼補強材には任意形状に形成、もしくは加工を施して捻れ、弛みを生じにくくした長尺状の金属板体を使用すれば、強力な補強となり、かつ補強材が施工の際にも直線状の形状を維持するので、施工が極めて容易である。▲７▼水平補強材、垂直補強材を配した場合には、老朽化が進んだ建物の耐震性を向上させることができる。▲８▼２本一対で１組の補強材を２組、互い違いに配置するので、震動による負荷を各固定部に均等に分散でき、強力な補強となる。等の特徴、効果がある。
【図面の簡単な説明】
【図１】本発明に係る外壁改修構造の代表例を示す説明図である。
【図２】本発明に用いる補強材の例を示す説明図である。
【図３】本発明に用いる新規外壁の例を示す説明図である。
【図４】本発明に係る外壁改修構造の施工例を示す説明図である。
【図５】本発明に使用する補強材のその他の例を示す説明図である
【図６】本発明に使用する補強材のその他の例を示す説明図である
【図７】本発明に使用する補強材のその他の例を示す説明図である。
【図８】本発明に用いる新規外壁のその他の例を示す説明図である。
【図９】本発明に係る外壁改修構造のその他の例を示す説明図である。
【図１０】本発明に係る外壁改修構造のその他の例を示す説明図である。
【図１１】補強材の配置のその他の例を示す説明図である。
【符号の説明】
α  固定具
Ａ  躯体
Ｂ  主柱
Ｃ  間柱
Ｄ  土台
Ｅ  妻梁
Ｆ  基礎
Ｇ  胴差し
１  既存外壁
２  補強材
３  新規外壁
４  表面材
５  裏面材
６  芯材
７  役物
８  舌片
９  リブ
１０  固定部
１１  弾性体
１２  粘着テープ
１３  防水シート
１４  胴縁
１５  断熱層
１６  プレート
１７  水平補強材
１８  垂直補強材
【図１】
0003658594.tif 000002
【図２】
0003658594.tif 000003
【図３】
0003658594.tif 000004
【図４】
0003658594.tif 000005
【図５】
0003658594.tif 000006
【図６】
0003658594.tif 000007
【図７】
0003658594.tif 000008
【図８】
0003658594.tif 000009
【図９】
0003658594.tif 000010
【図１０】
0003658594.tif 000011
【図１１】
0003658594.tif 000012